(57)【要約】【課題】  実際にＩｕインタフェースが通信中（アクティブ）のＰＤＰ  ＣｏｎｔｅｘｔのみにＧｉインタフェースのＰＤＰ  Ｃｏｎｔｅｘｔ検索メモリを割当て、リソースを有効に活用する。【解決手段】  ＩｕインタフェースにおけるＰｒｅｓｅｒｖａｔｉｏｎ／Ｒｅｓｕｍｅ処理と連携して、新規にＣ−ｐｌａｎｅ信号／Ｕ−ｐｌａｎｅ信号をそれぞれ定義し、その信号をＳＧＳＮ−ＧＧＳＮ間で送受信することにより、ＧｉインタフェースにおけるＰｒｅｓｅｒｖａｔｉｏｎ／Ｒｅｓｕｍｅ処理を実施し、ＰＤＰ  Ｃｏｎｔｅｘｔ検索情報を保持しているＰＤＰ  Ｃｏｎｔｅｘｔ検索メモリのリソースを、実際にＩｕインタフェースが通信中（アクティブ）であるＰＤＰ  Ｃｏｎｔｅｘｔのみに割当てる。【選択図】  図５
2006262114.tif 000002
【特許請求の範囲】
【請求項１】
移動ステーション（ＭＳ）と、この移動ステーション（ＭＳ）と無線接続された基地局としてのＮｏｄｅＢと、このＮｏｄｅＢを制御するＲＮＣ（Radio Network Controller）と、このＲＮＣに接続されたＳＧＳＮ(Serving GPRS Support
Node)部と、このＳＧＳＮ部に接続されると共に外部ネットワークに接続されたＧＧＳＮ(Gateway GPRS Support Node)部とを備え、
前記ＧＧＳＮ部は、前記移動ステーションと前記外部ネットワークとの間の通信の際に用いる接続情報であるＰＤＰ  Ｃｏｎｔｅｘｔ(Packet Data Protocol Context)検索情報の記憶手段を備えた
ＧＰＲＳ(General Packet Radio Service)システムにおいて、
前記ＧＧＳＮ部は、
ＰＤＰ  Ｃｏｎｔｅｘｔ検索情報を一時保持する手段と、
前記記憶手段に記憶されているＰＤＰ  Ｃｏｎｔｅｘｔ検索情報に相応する通信が通信中から通信待機状態になった旨の通知を受け取ると当該ＰＤＰ  Ｃｏｎｔｅｘｔ検索情報を前記記憶手段から前記一時保持する手段に移す手段と、
前記一時保持する手段に移されたＰＤＰ  Ｃｏｎｔｅｘｔ検索情報に相応する通信が通信待機状態から通信再開状態になった旨を検出する手段と、
この検出結果に基づいて当該ＰＤＰ  Ｃｏｎｔｅｘｔ検索情報を前記一時保持する手段から前記記憶手段に戻す手段と
を備えたことを特徴とするＧＰＲＳシステム。
【請求項２】
前記ＰＤＰ  Ｃｏｎｔｅｘｔ検索情報は、ユーザデータの宛先ＩＰアドレスの情報を含み、
前記検出する手段は、
ユーザデータを受信するとその宛先ＩＰアドレスを検索キーとして、当該宛先ＩＰアドレスが前記記憶手段に保持されているＰＤＰ  Ｃｏｎｔｅｘｔ検索情報に含まれる宛先ＩＰアドレスと一致するか否かを判定する手段と、
この判定する手段の判定結果が不一致であるときには、前記一時保持する手段に移されたＰＤＰ  Ｃｏｎｔｅｘｔ検索情報に相応する通信が通信待機状態から通信再開状態になった旨を検出結果として出力する手段と
を備えた請求項１記載のＧＰＲＳシステム。
【請求項３】
前記検出する手段は、
前記ＳＧＳＮ部において通信待機状態にあった通信の再開を監視する手段と、
この監視する手段の監視結果が通信再開を示すときには、前記一時保持する手段に移されたＰＤＰ  Ｃｏｎｔｅｘｔ検索情報に相応する通信が通信待機状態から通信再開状態になった旨を検出結果として出力する手段と
を備えた請求項１記載のＧＰＲＳシステム。
【発明の詳細な説明】
【技術分野】
【０００１】
本発明は、３ＧＰＰ勧告のＴＳ２３．０６０によるＧＰＲＳ(General Packet
Radio Service)に利用する。
【背景技術】
【０００２】
従来のＧＰＲＳシステムを図１１を用いて説明する。図１１はＧＰＲＳシステムの原理的なブロック図である。図１１に示すように、移動ステーション（ＭＳ）は、基地局としてのＮｏｄｅＢに無線接続され、ＮｏｄｅＢは、ＲＮＣ（Radio Network Controller）に接続される。ＲＮＣは、ＳＧＳＮ(Serving GPRS Support Node)部９０に接続され、ＳＧＳＮ部９０は、ＧＧＳＮ(Gateway
GPRS Support Node)部２０に接続される。さらに、ＧＧＳＮ部２０は外部ネットワークに接続される。この外部ネットワークは、例えば、インターネットである。
【０００３】
ＳＧＳＮ部９０およびＧＧＳＮ部２０は、ＧＰＲＳのメイン要素であるＧＰＲＳサポートノード（ＧＳＮ）を構成する。
【０００４】
ＧＧＳＮ部２０の主たる機能は、外部ネットワークとＧＰＲＳシステムとのインタフェース機能であり、ＧＧＳＮ部２０は、移動ステーション（ＭＳ）の経路についてＳＧＳＮ部９０により供給されるルート情報を使用して位置ディレクトリを更新し、移動ステーション（ＭＳ）に現在サービスしているＳＧＳＮ部９０に外部ネットワークプロトコルパケットをルート指定する。
【０００５】
ＳＧＳＮ部９０の主たる機能は、そのサービスエリアにおいてＧＰＲＳの新たな移動ステーション（ＭＳ）を検出し、新たな移動ステーション（ＭＳ）をＧＰＲＳレジスタに登録するプロセスを取り扱い、移動ステーション（ＭＳ）との間でデータパケットを送受信し、そのサービスエリア内における移動ステーション（ＭＳ）の位置の記録を保持する。また、契約情報は、データベースとして働くＧＰＲＳレジスタに記憶され、ここから、ＳＧＳＮ部９０は、そのエリアにいる新たな移動ステーション（ＭＳ）がＧＰＲＳネットワークに加わることが許されるか否かを判定することができる（例えば、特許文献１参照）。
【０００６】
このような従来のＧＰＲＳにおけるＳＧＳＮ部９０およびＧＧＳＮ部２０のブロック構成を図１に示す。図１に示すように、ＳＧＳＮ部９０およびＧＧＳＮ部２０は、それぞれＵ−ｐｌａｎｅ部６０、８０およびＣ−ｐｌａｎｅ部５０、７０を備え、Ｕ−ｐｌａｎｅ部６０とＵ−ｐｌａｎｅ部８０との間ではユーザデータが相互に送受信される。
【０００７】
【特許文献１】特表２００２−５３００２３号公報
【発明の開示】
【発明が解決しようとする課題】
【０００８】
このような従来のＧＰＲＳシステムでは、図１に示すＩｕインタフェース部がＰｒｅｓｅｒｖａｔｉｏｎ状態であっても、Ｇｉインタフェースのメモリ（リソース）を占有していた。
【０００９】
すなわち、図１に示すＩｕインタフェース部４０（点線部）は、Ｐｒｅｓｅｒｖａｔｉｏｎ状態であることを示す。また、Ｉｕインタフェース部１０（実線部）は通信中（アクティブ）であることを示す。Ｉｕインタフェース部４０がＰｒｅｓｅｒｖａｔｉｏｎ状態であるか否かに関わらず、ＧＧＳＮ部２０におけるＰＤＰ  Ｃｏｎｔｅｘｔ検索メモリ部３０はＩｕインタフェース部４０が扱うＰｒｅｓｅｒｖａｔｉｏｎ状態のユーザによって占有されている。
【００１０】
この間、他のユーザはＩｕインタフェース部４０によって占有されているメモリを利用することができず、メモリの有効利用が妨げられる。
【００１１】
本発明は、このような背景に行われたものであって、実際にＩｕインタフェースが通信中（アクティブ）のＰＤＰ  ＣｏｎｔｅｘｔのみにＧｉインタフェースのＰＤＰ  Ｃｏｎｔｅｘｔ検索メモリを割当て、リソースを有効に活用することができるＧＰＲＳシステムを提供することを目的とする。
【課題を解決するための手段】
【００１２】
ＩｕインタフェースのＰｒｅｓｅｒｖａｔｉｏｎとは、アクティブなＰＤＰ  Ｃｏｎｔｅｘｔに対するＩｕインタフェースが解放されるにも関わらず、ＳＧＳＮ／ＧＧＳＮで当該ＰＤＰ  Ｃｏｎｔｅｘｔをアクティブな状態として保持している状態を指し、また、ＲｅｓｕｍｅとはＰｒｅｓｅｒｖａｔｉｏｎ状態からＩｕインタフェースが再確立されることを指す。これを、Ｇｉインタフェースにおいて実施する場合を、ＧｉインタフェースのＰｒｅｓｅｒｖａｔｉｏｎ／Ｒｅｓｕｍｅと呼ぶ。
【００１３】
３ＧＰＰのＴＳ２３．０６０に規定されているＰｒｅｓｅｒｖａｔｉｏｎ機能を実現するにあたり、通常ではＩｕインタフェースにおいてＰｒｅｓｅｒｖａｔｉｏｎ／Ｒｅｓｕｍｅ処理を実施するが、本発明では、そのＩｕインタフェースにおけるＰｒｅｓｅｒｖａｔｉｏｎ／Ｒｅｓｕｍｅ処理と連携して、新規にＣ−ｐｌａｎｅ信号／Ｕ−ｐｌａｎｅ信号をそれぞれ定義し、その信号をＳＧＳＮ−ＧＧＳＮ間で送受信することにより、ＧｉインタフェースにおけるＰｒｅｓｅｒｖａｔｉｏｎ／Ｒｅｓｕｍｅ処理を実施すること、および、Ｇｉインタフェースにおけるユーザデータのルーティング処理のために、ユーザデータとＰＤＰ  Ｃｏｎｔｅｘｔを関連付ける情報（以降、ＰＤＰ  Ｃｏｎｔｅｘｔ検索情報）を保持しているＰＤＰ  Ｃｏｎｔｅｘｔ検索メモリのリソースを、実際にＩｕインタフェースが通信中（アクティブ）であるＰＤＰ  Ｃｏｎｔｅｘｔのみに割当てることを特徴とする。
【００１４】
また、Ｒｅｓｕｍｅの契機として、Ｇｉインタフェースにおいてユーザデータの受信を契機とすること、およびＩｕインタフェースのＲｅｓｕｍｅと連動してＧｉインタフェースのＲｅｓｕｍｅを実施することを特徴とする。
【００１５】
すなわち、本発明は、移動ステーション（ＭＳ）と、この移動ステーション（ＭＳ）と無線接続された基地局としてのＮｏｄｅＢと、このＮｏｄｅＢを制御するＲＮＣと、このＲＮＣに接続されたＳＧＳＮ部と、このＳＧＳＮ部に接続されると共に外部ネットワークに接続されたＧＧＳＮ部とを備え、前記ＧＧＳＮ部は、前記移動ステーションと前記外部ネットワークとの間の通信の際に用いる接続情報であるＰＤＰ  Ｃｏｎｔｅｘｔ検索情報の記憶手段を備えたＧＰＲＳシステムである。
【００１６】
ここで、本発明の特徴とするところは、前記ＧＧＳＮ部は、ＰＤＰ  Ｃｏｎｔｅｘｔ検索情報を一時保持する手段と、前記記憶手段に記憶されているＰＤＰ  Ｃｏｎｔｅｘｔ検索情報に相応する通信が通信中から通信待機状態になった旨の通知を受け取ると当該ＰＤＰ  Ｃｏｎｔｅｘｔ検索情報を前記記憶手段から前記一時保持する手段に移す手段と、前記一時保持する手段に移されたＰＤＰ  Ｃｏｎｔｅｘｔ検索情報に相応する通信が通信待機状態から通信再開状態になった旨を検出する手段と、この検出結果に基づいて当該ＰＤＰ  Ｃｏｎｔｅｘｔ検索情報を前記一時保持する手段から前記記憶手段に戻す手段とを備えたところにある。
【００１７】
また、前記ＰＤＰ  Ｃｏｎｔｅｘｔ検索情報は、ユーザデータの宛先ＩＰアドレスの情報を含み、前記検出する手段は、ユーザデータを受信するとその宛先ＩＰアドレスを検索キーとして、当該宛先ＩＰアドレスが前記記憶手段に保持されているＰＤＰ  Ｃｏｎｔｅｘｔ検索情報に含まれる宛先ＩＰアドレスと一致するか否かを判定する手段と、この判定する手段の判定結果が不一致であるときには、前記一時保持する手段に移されたＰＤＰ  Ｃｏｎｔｅｘｔ検索情報に相応する通信が通信待機状態から通信再開状態になった旨を検出結果として出力する手段とを備えることができる。
【００１８】
これによれば、ＧＧＳＮ部が自律的に、ユーザデータを参照することにより通信再開状態を検出することができるため、ＳＧＳＮ部からの通知に基づき通信再開状態を認識する場合と比較してＲｅｓｕｍｅ処理を高速に行うことができる。
【００１９】
あるいは、前記検出する手段は、前記ＳＧＳＮ部において通信待機状態にあった通信の再開を監視する手段と、この監視する手段の監視結果が通信再開を示すときには、前記一時保持する手段に移されたＰＤＰ  Ｃｏｎｔｅｘｔ検索情報に相応する通信が通信待機状態から通信再開状態になった旨を検出結果として出力する手段とを備えることができる。
【発明の効果】
【００２０】
従来は、Ｉｕインタフェース部がＰｒｅｓｅｒｖａｔｉｏｎ状態であっても、Ｇｉインタフェースのメモリ（リソース）を占有していたが、本発明において、新規にＣ−ｐｌａｎｅ信号を定義し、それをＳＧＳＮ／ＧＧＳＮ間で送受信すること（Ｃ−ｐｌａｎｅ信号方式）により、ＧｉインタフェースのＰｒｅｓｅｒｖａｔｉｏｎ／Ｒｅｓｕｍｅ処理を実施可能とし、実際にＩｕインタフェースが通信中（アクティブ）のＰＤＰ  ＣｏｎｔｅｘｔのみにＧｉインタフェースのＰＤＰ  Ｃｏｎｔｅｘｔ検索メモリを割当て、リソースを有効に活用することができる。
【００２１】
さらに、ＧＧＳＮのＣ−ｐｌａｎｅに呼の状態を意識させない、かつＧｉインタフェースのＰｒｅｓｅｒｖａｔｉｏｎ／Ｒｅｓｕｍｅに一切関与させることなく、ＧｉインタフェースのＰｒｅｓｅｒｖａｔｉｏｎ／Ｒｅｓｕｍｅを実施することができる。
【発明を実施するための最良の形態】
【００２２】
本発明実施例を図１ないし図１０を用いて説明する。概略を説明すると、図１において、Ｉｕインタフェース部１０（実線部）が通信中（アクティブ）であるＰＤＰ  Ｃｏｎｔｅｘｔの場合は、ＧＧＳＮ部２０に具備しているＰＤＰ  Ｃｏｎｔｅｘｔ検索メモリ部３０に、ユーザデータのルーティング処理のためのＰＤＰ  Ｃｏｎｔｅｘｔ検索情報を割当てる。図２は、ＰＤＰ  Ｃｏｎｔｅｘｔ検索メモリ部４０２において保持しているＰＤＰ  Ｃｏｎｔｅｘｔ検索情報の構成例を示している。
【００２３】
Ｉｕインタフェース部４０（点線部）がＰｒｅｓｅｒｖａｔｉｏｎ状態であるＰＤＰ  Ｃｏｎｔｅｘｔを示しており、それと連携しＧｉインタフェースのＰｒｅｓｅｒｖａｔｉｏｎを実施することにより、ＧＧＳＮ部２０に具備しているＰＤＰ  Ｃｏｎｔｅｘｔ検索メモリ部３０からユーザデータのルーティング処理のためのＰＤＰ  Ｃｏｎｔｅｘｔ検索情報を一時的に削除（待避）させる。
【００２４】
このとき、ＰＤＰ  Ｃｏｎｔｅｘｔ検索メモリ部３０の状態は、図３から図４へと遷移し、図４のメモリ領域１０００（太枠線部）が他のユーザのために使用することができる。
【００２５】
また、Ｉｕインタフェース部４０（点線部）がＰｒｅｓｅｒｖａｔｉｏｎ状態からＲｅｓｕｍｅを実施することと連携し、ＧｉインタフェースのＲｅｓｕｍｅを実施、あるいはＧｉインタフェースにおいて、ユーザデータを受信した場合に実施することにより、ＰＤＰ  Ｃｏｎｔｅｘｔ検索メモリ部３０に、一時的に削除（待避）したユーザデータのルーティング処理のためのＰＤＰ  Ｃｏｎｔｅｘｔ検索情報を再設定する。このとき、ＰＤＰ  Ｃｏｎｔｅｘｔ検索メモリ部３０の状態は、図４から図３へと遷移する。
【００２６】
このようにして、本発明では、ＩｕインタフェースのＰｒｅｓｅｒｖａｔｉｏｎ／Ｒｅｓｕｍｅ処理と連携すること、およびＧｉインタフェースにおけるユーザデータの受信を契機とすることにより、ＧｉインタフェースのＰｒｅｓｅｒｖａｔｉｏｎ／Ｒｅｓｕｍｅ処理を実施することで、ＧＧＳＮ部２０のＰＤＰ  Ｃｏｎｔｅｘｔ検索メモリ部３０のリソースを有効活用することができる。
【００２７】
図５は、図１のＳＧＳＮ部９０内のＣ−ｐｌａｎｅ部５０、およびＵ−ｐｌａｎｅ部６０、ＧＧＳＮ部２０内のＣ−ｐｌａｎｅ部７０およびＵ−ｐｌａｎｅ部８０を詳細に示したものである。図５を参照すると、ＳＧＳＮ部１とＧＧＳＮ部２には、呼制御を司るＣ−ｐｌａｎｅ部１００と３００とがあり、それはＰＤＰ  Ｃｏｎｔｅｘｔの状態を管理する状態管理部１０２、ＰＤＰ  Ｃｏｎｔｅｘｔのリソースを管理するリソース管理部１０３と３０１とで構成される。
【００２８】
また、ＳＧＳＮ部１とＧＧＳＮ部２には、ユーザデータの送受信を司るＵ−ｐｌａｎｅ部２００と４００とがあり、それはＰＤＰ  Ｃｏｎｔｅｘｔのリソースを管理するリソース管理部２０１と４０１、Ｉｕインタフェース部のＰＤＰ  Ｃｏｎｔｅｘｔを保持しているＰＤＰ  Ｃｏｎｔｅｘｔ管理部２０２、Ｇｉインタフェース部のＰＤＰ  Ｃｏｎｔｅｘｔ検索情報を保持しているＰＤＰ  Ｃｏｎｔｅｘｔ検索メモリ部４０２で構成される。
【００２９】
すなわち、本実施例は、図１１に示すように、移動ステーション（ＭＳ）と、この移動ステーション（ＭＳ）と無線接続された基地局としてのＮｏｄｅＢと、このＮｏｄｅＢを制御するＲＮＣと、このＲＮＣに接続されたＳＧＳＮ部９０と、このＳＧＳＮ部９０に接続されると共に外部ネットワーク（インターネット）に接続されたＧＧＳＮ部２０とを備え、ＧＧＳＮ部２０は、図５に示すように、移動ステーション（ＭＳ）と外部ネットワークとの間の通信の際に用いる接続情報であるＰＤＰ  Ｃｏｎｔｅｘｔ検索情報の記憶手段としてのＰＤＰ  Ｃｏｎｔｅｘｔ検索メモリ部４０２を備えたＧＰＲＳシステムである。
【００３０】
ここで、本実施例の特徴とするところは、ＧＧＳＮ部２０は、ＰＤＰ  Ｃｏｎｔｅｘｔ検索情報を一時保持する手段としてのリソース管理部４０１を備え、このリソース管理部４０１およびＰＤＰ  Ｃｏｎｔｅｘｔ検索メモリ部４０２は、ＰＤＰ  Ｃｏｎｔｅｘｔ検索メモリ部４０２に記憶されているＰＤＰ  Ｃｏｎｔｅｘｔ検索情報に相応する通信が通信中から通信待機状態になった旨の通知を受け取ると当該ＰＤＰ  Ｃｏｎｔｅｘｔ検索情報をＰＤＰ  Ｃｏｎｔｅｘｔ検索メモリ部４０２からリソース管理部４０１に移す手段を備え、リソース管理部４０１に移されたＰＤＰ  Ｃｏｎｔｅｘｔ検索情報に相応する通信が通信待機状態から通信再開状態になった旨を検出する手段を備え、リソース管理部４０１およびＰＤＰ  Ｃｏｎｔｅｘｔ検索メモリ部４０２は、この検出結果に基づいて当該ＰＤＰ  Ｃｏｎｔｅｘｔ検索情報をリソース管理部４０１からＰＤＰ  Ｃｏｎｔｅｘｔ検索メモリ部４０２に戻す手段を備える。
【００３１】
また、ＰＤＰ  Ｃｏｎｔｅｘｔ検索情報は、ユーザデータの宛先ＩＰアドレスの情報を含み、ＰＤＰ  Ｃｏｎｔｅｘｔ検索メモリ部４０２は前記検出する手段として、ユーザデータを受信するとその宛先ＩＰアドレスを検索キーとして、当該宛先ＩＰアドレスがＰＤＰ  Ｃｏｎｔｅｘｔ検索メモリ部４０２に保持されているＰＤＰ  Ｃｏｎｔｅｘｔ検索情報に含まれる宛先ＩＰアドレスと一致するか否かを判定する手段と、この判定する手段の判定結果が不一致であるときには、リソース管理部４０１に移されたＰＤＰ  Ｃｏｎｔｅｘｔ検索情報に相応する通信が通信待機状態から通信再開状態になった旨を検出結果として出力する手段とを備える。
【００３２】
あるいは、状態管理部１０２は前記検出する手段として、ＳＧＳＮ部１において通信待機状態にあった通信の再開を監視する手段と、この監視する手段の監視結果が通信再開を示すときには、リソース管理部４０１に移されたＰＤＰ  Ｃｏｎｔｅｘｔ検索情報に相応する通信が通信待機状態から通信再開状態になった旨を検出結果として出力する手段とを備える。
【００３３】
次に、図５を用いてＣ−ｐｌａｎｅ信号方式について説明する。ＳＧＳＮ部１のＩｕインタフェース部１０１からのＰｒｅｓｅｒｖａｔｉｏｎ要求信号を状態管理部１０２で受信し、リソース管理部１０３に通知する（Ｓ１）。リソース管理部１０３では、複数存在するＰＤＰ  Ｃｏｎｔｅｘｔから、Ｐｒｅｓｅｒｖａｔｉｏｎ要求のあった当該ＰＤＰ  Ｃｏｎｔｅｘｔを特定し、Ｐｒｅｓｅｒｖａｔｉｏｎ状態に遷移させるべき当該ＰＤＰ  Ｃｏｎｔｅｘｔを、ユーザデータの送受信を司るＵ−ｐｌａｎｅ部２００内のリソース管理部２０１に通知する（Ｓ２）。
【００３４】
リソース管理部２０１は、この通知（Ｓ２）を受信後、当該ＰＤＰ  ＣｏｎｔｅｘｔをＰｒｅｓｅｒｖａｔｉｏｎ状態に遷移させるために、ＰＤＰ  Ｃｏｎｔｅｘｔ管理部２０２にその旨通知する（Ｓ３）。通知を受けたＰＤＰ  Ｃｏｎｔｅｘｔ管理部２０２は、当該ＰＤＰ  ＣｏｎｔｅｘｔをＰｒｅｓｅｒｖａｔｉｏｎ状態に遷移させた後、完了通知をリソース管理部２０１に返送する（Ｓ４）。リソース管理部２０１は、この返送（Ｓ４）を受信後、通知（Ｓ２）に対する応答をＣ−ｐｌａｎｅ部１００のリソース管理部１０３に返送する（Ｓ５）。
【００３５】
この返送（Ｓ５）を受信したリソース管理部１０３は、状態管理部１０２にＩｕインタフェースのＰｒｅｓｅｒｖａｔｉｏｎ状態への遷移が完了したことを通知する（Ｓ６）と共に、ＧｉインタフェースのＰｒｅｓｅｒｖａｔｉｏｎを実施するために、ＧＧＳＮ部２のＣ−ｐｌａｎｅ部３００内のリソース管理部３０１に対してＧｉインタフェースのＰｒｅｓｅｒｖａｔｉｏｎ要求信号を送信する（Ｓ７）。
【００３６】
リソース管理部３０１は、Ｐｒｅｓｅｒｖａｔｉｏｎ要求信号（Ｓ７）を受信後、Ｐｒｅｓｅｒｖａｔｉｏｎ要求信号（Ｓ７）に含まれるＧｉインタフェースにおけるＰｒｅｓｅｒｖａｔｉｏｎ状態へ遷移させるべきＰＤＰ  Ｃｏｎｔｅｘｔを認識し、ユーザデータの送受信を司るＵ−ｐｌａｎｅ部４００内のリソース管理部４０１に対して、Ｐｒｅｓｅｒｖａｔｉｏｎ状態に遷移させるべきＰＤＰ  Ｃｏｎｔｅｘｔを通知する（Ｓ８）。リソース管理部４０１は、通知（Ｓ８）を受信後、通知（Ｓ８）により指定された当該ＰＤＰ  ＣｏｎｔｅｘｔをＰＤＰ  Ｃｏｎｔｅｘｔ検索メモリ部４０２に通知する（Ｓ９）。
【００３７】
通知（Ｓ９）を受信したＰＤＰ  Ｃｏｎｔｅｘｔ検索メモリ部４０２は、保持しているＰＤＰ  Ｃｏｎｔｅｘｔ検索情報内（構成例は図２）から、通知（Ｓ９）により指定されたＰｒｅｓｅｒｖａｔｉｏｎを実施させるＰＤＰ  Ｃｏｎｔｅｘｔを検索し、検索した当該ＰＤＰ  ＣｏｎｔｅｘｔのＰＤＰ  Ｃｏｎｔｅｘｔ検索情報を削除すると共に、リソース管理部４０１に削除完了を通知する（Ｓ１０）。この通知（Ｓ１０）には削除したＰＤＰ  Ｃｏｎｔｅｘｔ検索情報を含む。この場合のＰＤＰ  Ｃｏｎｔｅｘｔ検索メモリ部４０２の削除前構成を図３、削除後構成例を図４に示す。
【００３８】
図３のメモリ領域１０００が削除され、図４のメモリ領域１０００となり、図４のメモリ領域１０００は他ユーザが使用することができる。リソース管理部４０１では、通知（Ｓ１０）を受信後、この通知に含まれる前記削除したＰＤＰ  Ｃｏｎｔｅｘｔ検索情報をＲｅｓｕｍｅを実施するために保持すると共に、通知（Ｓ８）に対する応答をリソース管理部を３０１に返送する（Ｓ１１）。以上の動作により、ＳＧＳＮ部１のＩｕインタフェースとＧＧＳＮ部２のＧｉインタフェースのＰｒｅｓｅｒｖａｔｉｏｎ状態への遷移が完了する。
【００３９】
次に、ＧｉインタフェースのＰｒｅｓｅｒｖａｔｉｏｎ状態からのＲｅｓｕｍｅ方法について図６および図７を用いて説明する。Ｒｅｓｕｍｅの契機として、Ｇｉインタフェースにおいて、図６のＧＧＳＮ部２のユーザデータ４０３の受信を契機とする場合と、図７のＳＧＳＮ部１のＩｕインタフェースのＲｅｓｕｍｅと連動してＧｉインタフェースのＲｅｓｕｍｅを実施する場合の２つの方式を説明する。
【００４０】
前者については、図６を用いて説明する。ＧＧＳＮ部２のＰＤＰ  Ｃｏｎｔｅｘｔ検索メモリ部４０２がユーザデータ４０３を受信すると、そのユーザデータ４０３に含まれる宛先ＩＰアドレス（Ｅｎｄ  Ｕｓｅｒ  ａｄｄｒｅｓｓ）を検索キーとしてＰＤＰ  Ｃｏｎｔｅｘｔ検索情報内から当該ＰＤＰ  Ｃｏｎｔｅｘｔの検索を実施する。
【００４１】
その結果、ＰＤＰ  Ｃｏｎｔｅｘｔ検索メモリ部４０２に、そのＰＤＰ  Ｃｏｎｔｅｘｔが保持されていなかった場合には、ユーザデータ４０３をリソース管理部４０１に通知する（Ｓ２１）。リソース管理部４０１は、通知（Ｓ２１）を受信後、待機中のＰＤＰ  Ｃｏｎｔｅｘｔ内からＲｅｓｕｍｅを実施すべき当該ＰＤＰ  Ｃｏｎｔｅｘｔ検索情報を検索し、該当するＰＤＰ  Ｃｏｎｔｅｘｔ検索情報がリソース管理部４０１に保持されていれば、リソース管理部４０１は、このＰＤＰ  Ｃｏｎｔｅｘｔ検索情報をＰＤＰ  Ｃｏｎｔｅｘｔ検索メモリ部４０２に戻し、ＰＤＰ  Ｃｏｎｔｅｘｔ検索メモリ部４０２は、このＰＤＰ  Ｃｏｎｔｅｘｔ検索情報を再設定する（Ｓ２２）。このときのＰＤＰ  Ｃｏｎｔｅｘｔ検索メモリ部４０２の状態は、図４から図３へと遷移し、図３のメモリ領域１０００となる。
【００４２】
なお、リソース管理部４０１は、通知（Ｓ２１）を受信後、待機中のＰＤＰ  Ｃｏｎｔｅｘｔ内からＲｅｓｕｍｅを実施すべき当該ＰＤＰ  Ｃｏｎｔｅｘｔ検索情報を検索した結果、該当するＰＤＰ  Ｃｏｎｔｅｘｔ検索情報が見つからない場合には、ユーザデータ４０３は新規なユーザデータであるとして適切な処理を行う。この処理は、本発明とは直接関係が無いので説明は省略する。
【００４３】
再設定完了後（Ｓ２２）、リソース管理部４０１は、Ｃ−ｐｌａｎｅ部３００のリソース管理部３０１にＲｅｓｕｍｅ完了通知を送信する（Ｓ２３）。以上の動作により、ＧｉインタフェースのＲｅｓｕｍｅが完了する。
【００４４】
後者については、図７を用いて説明する。ＳＧＳＮ部１のＩｕインタフェース１０１の状態を監視している状態管理部１０２は、ＩｕインタフェースのＲｅｓｕｍｅを検出すると、リソース管理部１０３に通知する（Ｓ３１）。リソース管理部１０３は、通知（Ｓ３１）を受信後、複数存在するＰＤＰ  Ｃｏｎｔｅｘｔから、Ｒｅｓｕｍｅを実施すべき当該ＰＤＰ  Ｃｏｎｔｅｘｔを特定し、ユーザデータの送受信を司るＵ−ｐｌａｎｅ部２００内のリソース管理部２０１に、Ｒｅｓｕｍｅを実施させるべきＰＤＰ  Ｃｏｎｔｅｘｔを通知する（Ｓ３２）。
【００４５】
リソース管理部２０１は、通知（Ｓ３２）を受信後、当該ＰＤＰ  ＣｏｎｔｅｘｔのＲｅｓｕｍｅを実施させるために、ＰＤＰ  Ｃｏｎｔｅｘｔ管理部２０２にその旨通知する（Ｓ３３）。通知を受けたＰＤＰ  Ｃｏｎｔｅｘｔ管理部２０２は、当該ＰＤＰ  ＣｏｎｔｅｘｔのＲｅｓｕｍｅを実施後、完了通知をリソース管理部２０１に返送する（Ｓ３４）。
【００４６】
リソース管理部２０１は、完了通知（Ｓ３４）を受信後、通知（Ｓ３２）に対する応答をＣ−ｐｌａｎｅ部１００のリソース管理部１０３に返送する（Ｓ３５）。応答（Ｓ３５）を受信後、リソース管理部１０３は、状態管理部１０２にＩｕインタフェースのＲｅｓｕｍｅ処理が完了したことを通知する（Ｓ３６）と共に、ＧｉインタフェースのＲｅｓｕｍｅを実施するために、ＧＧＳＮ部２のＣ−ｐｌａｎｅ部３００内のリソース管理部３０１に対してＧｉインタフェースのＲｅｓｕｍｅ要求信号を送信する（Ｓ３７）。
【００４７】
リソース管理部３０１は、Ｒｅｓｕｍｅ要求信号（Ｓ３７）を受信後、Ｒｅｓｕｍｅ要求信号に含まれるＧｉインタフェースにおけるＲｅｓｕｍｅを実施すべきＰＤＰ  Ｃｏｎｔｅｘｔを認識し、ユーザデータの送受信を司るＵ−ｐｌａｎｅ部４００内のリソース管理部４０１に、Ｒｅｓｕｍｅを実施させるべき当該ＰＤＰ  Ｃｏｎｔｅｘｔを通知する（Ｓ３８）。
【００４８】
リソース管理部４０１は、通知（Ｓ３８）を受信後、待機中のＰＤＰ  Ｃｏｎｔｅｘｔ内から、通知（Ｓ３８）により指定されたＰＤＰ  Ｃｏｎｔｅｘｔを検索し、当該ＰＤＰ  ＣｏｎｔｅｘｔのＰＤＰ  Ｃｏｎｔｅｘｔ検索情報を、ＰＤＰ  Ｃｏｎｔｅｘｔ検索メモリ部４０２に戻し、ＰＤＰ  Ｃｏｎｔｅｘｔ検索メモリ部４０２は、このＰＤＰ  Ｃｏｎｔｅｘｔ検索情報を再設定する（Ｓ３９）。このときのＰＤＰ  Ｃｏｎｔｅｘｔ検索メモリ部４０２の状態は、図４から図３へと遷移し、図３のメモリ領域１０００となる。
【００４９】
再設定完了後（Ｓ４０）、リソース管理部４０１は、リソース管理部３０１にＲｅｓｕｍｅ完了通知を送信する（Ｓ４１）。以上の動作により、ＧｉインタフェースのＲｅｓｕｍｅが完了する。
【００５０】
本発明の他の実施例として、Ｕ−ｐｌａｎｅ信号方式があり、図８を用いて以下に説明する。ＳＧＳＮ部１のＩｕインタフェース部１０１からのＰｒｅｓｅｒｖａｔｉｏｎ要求信号を状態管理部１０２で受信し、リソース管理部１０３に通知する（Ｓ５１）。リソース管理部１０３では、複数存在するＰＤＰ  Ｃｏｎｔｅｘｔから、Ｐｒｅｓｅｒｖａｔｉｏｎ要求のあった当該ＰＤＰ  Ｃｏｎｔｅｘｔを特定し、Ｐｒｅｓｅｒｖａｔｉｏｎ状態に遷移させるべき当該ＰＤＰ  Ｃｏｎｔｅｘｔをユーザデータの送受信を司るＵ−ｐｌａｎｅ部２００内のリソース管理部２０１に通知する（Ｓ５２）。
【００５１】
リソース管理部２０１は、通知（Ｓ５２）を受信後、当該ＰＤＰ  ＣｏｎｔｅｘｔをＰｒｅｓｅｒｖａｔｉｏｎ状態に遷移させるために、ＰＤＰ  Ｃｏｎｔｅｘｔ管理部２０２にその旨通知する（Ｓ５３）。通知を受けたＰＤＰ  Ｃｏｎｔｅｘｔ管理部２０２は、当該ＰＤＰ  ＣｏｎｔｅｘｔをＰｒｅｓｅｒｖａｔｉｏｎ状態に遷移させた後、完了通知をリソース管理部２０１に返送する（Ｓ５４）。
【００５２】
リソース管理部２０１は、管理通知（Ｓ５４）を受信後、通知（Ｓ５２）に対する応答を、Ｃ−ｐｌａｎｅ部１００のリソース管理部１０３に返送する（Ｓ５５）。応答（Ｓ５５）を受信したリソース管理部１０３は、状態管理部１０２にＩｕインタフェースのＰｒｅｓｅｒｖａｔｉｏｎ状態への遷移が完了したことを通知する（Ｓ５６）。
【００５３】
これと同時に、ＳＧＳＮ部１のＵ−ｐｌａｎｅ部２００のリソース管理部２０１は、管理通知（Ｓ５４）を受信後、ＧｉインタフェースのＰｒｅｓｅｒｖａｔｉｏｎを実施するために、ＧＧＳＮ部２のユーザデータの送受信を司るＵ−ｐｌａｎｅ部４００内のリソース管理部４０１に対して、ＧｉインタフェースのＰｒｅｓｅｒｖａｔｉｏｎ要求信号を送信する（Ｓ５７）。
【００５４】
リソース管理部４０１は、Ｐｒｅｓｅｒｖａｔｉｏｎ要求信号（Ｓ５７）を受信後、Ｐｒｅｓｅｒｖａｔｉｏｎ要求信号に含まれるＧｉインタフェースにおけるＰｒｅｓｅｒｖａｔｉｏｎ状態へ遷移させるべきＰＤＰ  Ｃｏｎｔｅｘｔを認識し、Ｐｒｅｓｅｒｖａｔｉｏｎ状態へ遷移させるべきＰＤＰ  Ｃｏｎｔｅｘｔを、ＰＤＰ  Ｃｏｎｔｅｘｔ検索メモリ部４０２に通知する（Ｓ５８）。
【００５５】
通知（Ｓ５８）を受信したＰＤＰ  Ｃｏｎｔｅｘｔ検索メモリ部４０２は、保持しているＰＤＰ  Ｃｏｎｔｅｘｔ検索情報内（構成例は図２）から通知（Ｓ５８）により指定されたＰｒｅｓｅｒｖａｔｉｏｎを実施させるＰＤＰ  Ｃｏｎｔｅｘｔを検索し、検索した当該ＰＤＰ  ＣｏｎｔｅｘｔのＰＤＰ  Ｃｏｎｔｅｘｔ検索情報を削除すると共に、リソース管理部４０１に削除完了を通知する（Ｓ５９）。この通知（Ｓ５９）には削除したＰＤＰ  Ｃｏｎｔｅｘｔ検索情報が含まれる。この場合のＰＤＰ  Ｃｏｎｔｅｘｔ検索メモリ部４０２の削除前構成例を図３、削除構成例を図４に示す。図３のメモリ領域１０００が削除され、図４のメモリ領域１０００となり、図４のメモリ領域１０００は他のユーザが使用することができる。
【００５６】
リソース管理部４０１では、通知（Ｓ５９）を受信後、この通知に含まれる前記削除したＰＤＰ  Ｃｏｎｔｅｘｔ検索情報をＲｅｓｕｍｅを実施するために保持すると共に、ＧｉインタフェースのＰｒｅｓｅｒｖａｔｉｏｎ状態への遷移が完了したことを、Ｃ−ｐｌａｎｅ部３００内のリソース管理部３０１に通知する（Ｓ６０）。以上の動作により、ＳＧＳＮ部１のＩｕインタフェースとＧＧＳＮ部２のＧｉインタフェースのＰｒｅｓｅｒｖａｔｉｏｎ状態への遷移が完了する。
【００５７】
次に、ＧｉインタフェースのＰｒｅｓｅｒｖａｔｉｏｎ状態からのＲｅｓｕｍｅ方法について図９および図１０を用いて説明する。Ｒｅｓｕｍｅの契機として、Ｇｉインタフェースにおいて、図９のＧＧＳＮ部２のユーザデータ４０３の受信を契機とする場合と、図１０のＳＧＳＮ部１のＩｕインタフェースのＲｅｓｕｍｅと連動してＧｉインタフェースのＲｅｓｕｍｅを実施する場合の２つの方式を説明する。
【００５８】
前者については、図９を用いて説明する。ＧＧＳＮ部２のＰＤＰ  Ｃｏｎｔｅｘｔ検索メモリ部４０２がユーザデータ４０３を受信すると、そのユーザデータ４０３に含まれる宛先ＩＰアドレス（Ｅｎｄ  Ｕｓｅｒ  ａｄｄｒｅｓｓ）を検索キーとして、ＰＤＰ  Ｃｏｎｔｅｘｔ検索情報内から当該ＰＤＰ  Ｃｏｎｔｅｘｔの検索を実施する。その結果、ＰＤＰ  Ｃｏｎｔｅｘｔ検索メモリ部４０２に、そのＰＤＰ  Ｃｏｎｔｅｘｔが保持されていなかった場合には、ユーザデータ４０３をリソース管理部４０１に通知する（Ｓ７１）。
【００５９】
リソース管理部４０１は、通知（Ｓ７１）を受信後、待機中のＰＤＰ  Ｃｏｎｔｅｘｔ内からＲｅｓｕｍｅを実施すべき当該ＰＤＰ  Ｃｏｎｔｅｘｔを検索し、該当するＰＤＰ  Ｃｏｎｔｅｘｔ検索情報がリソース管理部４０１に保持されていれば、リソース管理部４０１は、このＰＤＰ  Ｃｏｎｔｅｘｔ検索情報をＰＤＰ  Ｃｏｎｔｅｘｔ検索メモリ部４０２に戻し、ＰＤＰ  Ｃｏｎｔｅｘｔ検索メモリ部４０２は、このＰＤＰ  Ｃｏｎｔｅｘｔ検索情報を再設定する（Ｓ７２）。このときのＰＤＰ  Ｃｏｎｔｅｘｔ検索メモリ部４０２の状態は、図４から図３へと遷移し、図３のメモリ領域１０００となる。
【００６０】
なお、リソース管理部４０１は、通知（Ｓ７１）を受信後、待機中のＰＤＰ  Ｃｏｎｔｅｘｔ内からＲｅｓｕｍｅを実施すべき当該ＰＤＰ  Ｃｏｎｔｅｘｔ検索情報を検索した結果、該当するＰＤＰ  Ｃｏｎｔｅｘｔ検索情報が見つからない場合には、ユーザデータ４０３は新規なユーザデータであるとして適切な処理を行う。この処理は、本発明とは直接関係が無いので説明は省略する。
【００６１】
再設定完了後（Ｓ７２）、リソース管理部４０１は、Ｃ−ｐｌａｎｅ部３００のリソース管理部３０１に、Ｒｅｓｕｍｅ完了通知を送信する（Ｓ７３）。以上の動作により、ＧｉインタフェースのＲｅｓｕｍｅが完了する。
【００６２】
後者については、図１０を用いて説明する。ＳＧＳＮ部１のＩｕインタフェース部１０１の状態を監視している状態管理部１０２は、ＩｕインタフェースのＲｅｓｕｍｅを検出すると、リソース管理部１０３に通知する（Ｓ８１）。リソース管理部１０３は、通知（Ｓ８１）を受信後、複数存在するＰＤＰ  Ｃｏｎｔｅｘｔから、Ｒｅｓｕｍｅを実施すべきＰＤＰ  Ｃｏｎｔｅｘｔを特定し、ユーザデータの送受信を司るＵ−ｐｌａｎｅ部２００内のリソース管理部２０１に、Ｒｅｓｕｍｅを実施させるべきＰＤＰ  Ｃｏｎｔｅｘｔを通知する（Ｓ８２）。
【００６３】
リソース管理部２０１は、通知（Ｓ８２）を受信後、当該ＰＤＰ  ＣｏｎｔｅｘｔのＲｅｓｕｍｅを実施させるために、ＰＤＰ  Ｃｏｎｔｅｘｔ管理部２０２にその旨通知する（Ｓ８３）。通知を受けたＰＤＰ  Ｃｏｎｔｅｘｔ管理部２０２は、当該ＰＤＰ  ＣｏｎｔｅｘｔのＲｅｓｕｍｅを実施後、完了通知をリソース管理部２０１に返送する（Ｓ８４）。
【００６４】
リソース管理部２０１は、完了通知（Ｓ８４）を受信後、通知（Ｓ８２）の要求に対する応答を、Ｃ−ｐｌａｎｅ部１００のリソース管理部１０３に返送する（Ｓ８５）。応答（Ｓ８５）を受信後、リソース管理部１０３は状態管理部１０２にＩｕインタフェースのＲｅｓｕｍｅ処理が完了したことを通知する（Ｓ８６）。
【００６５】
これと並行して、ＳＧＳＮ部１のＵ−ｐｌａｎｅ部２００内のリソース管理部２０１は、ＧｉインタフェースのＲｅｓｕｍｅを実施するために、ＧＧＳＮ部２のＵ−ｐｌａｎｅ部４００内のリソース管理部４０１に対して、ＧｉインタフェースのＲｅｓｕｍｅ要求信号を送信する（Ｓ８７）。
【００６６】
リソース管理部４０１は、Ｒｅｓｕｍｅ要求信号（Ｓ８７）を受信後、Ｒｅｓｕｍｅ要求信号に含まれるＧｉインタフェースにおけるＲｅｓｕｍｅを実施すべきＰＤＰ  Ｃｏｎｔｅｘｔを認識し、待機中のＰＤＰ  Ｃｏｎｔｅｘｔ内から、Ｒｅｓｕｍｅ要求信号（Ｓ８７）により指定されたＰＤＰ  Ｃｏｎｔｅｘｔを検索し、当該ＰＤＰ  ＣｏｎｔｅｘｔのＰＤＰ  Ｃｏｎｔｅｘｔ検索情報を、ＰＤＰ  Ｃｏｎｔｅｘｔ検索メモリ部４０２に戻し、ＰＤＰ  Ｃｏｎｔｅｘｔ検索メモリ部４０２は、このＰＤＰ  Ｃｏｎｔｅｘｔ検索情報を再設定する（Ｓ８８）。このときのＰＤＰ  Ｃｏｎｔｅｘｔ検索メモリ部４０２の状態は、図４から図３へと遷移し、図３のメモリ領域１０００となる。
【００６７】
再設定完了後（Ｓ８９）、リソース管理部４０１は、Ｃ−ｐｌａｎｅ３００内のリソース管理部３０１に、Ｒｅｓｕｍｅ完了通知を送信する（Ｓ９０）。以上の動作により、ＧｉインタフェースのＲｅｓｕｍｅが完了する。
【００６８】
なお、Ｃ−ｐｌａｎｅ信号方式を用いてＧｉインタフェースのＰｒｅｓｅｒｖａｔｉｏｎを実施した場合は、Ｕ−ｐｌａｎｅ信号方式を用いてＧｉインタフェースのＲｅｓｕｍｅを実施することも可能である。逆に、Ｕ−ｐｌａｎｅ信号方式を用いてＧｉインタフェースのＰｒｅｓｅｒｖａｔｉｏｎを実施した場合は、Ｃ−ｐｌａｎｅ信号方式を用いてＧｉインタフェースのＲｅｓｕｍｅを実施することも可能である。
【産業上の利用可能性】
【００６９】
本発明によれば、実際にＩｕインタフェースが通信中（アクティブ）のＰＤＰ  ＣｏｎｔｅｘｔのみにＧｉインタフェースのＰＤＰ  Ｃｏｎｔｅｘｔ検索メモリを割当て、リソースを有効に活用することができる。さらに、ＧＧＳＮのＣ−ｐｌａｎｅに呼の状態を意識させない、かつＧｉインタフェースのＰｒｅｓｅｒｖａｔｉｏｎ／Ｒｅｓｕｍｅに一切関与させることなく、ＧｉインタフェースのＰｒｅｓｅｒｖａｔｉｏｎ／Ｒｅｓｕｍｅを実施することができる。これにより、ユーザの利便性の向上に寄与することが出来る。
【図面の簡単な説明】
【００７０】
【図１】ＧＰＲＳにおけるＳＧＳＮ部およびＧＧＳＮ部のブロック構成図。
【図２】ＰＤＰ  Ｃｏｎｔｅｘｔ検索メモリ部において保持しているＰＤＰ  Ｃｏｎｔｅｘｔ検索情報の構成例を示す図。
【図３】ＧＧＳＮ部に具備しているＰＤＰ  Ｃｏｎｔｅｘｔ検索メモリ部からユーザデータのルーティング処理のためのＰＤＰ  Ｃｏｎｔｅｘｔ検索情報を一時的に削除（待避）させる様子を説明するための図（削除前）。
【図４】ＧＧＳＮ部に具備しているＰＤＰ  Ｃｏｎｔｅｘｔ検索メモリ部からユーザデータのルーティング処理のためのＰＤＰ  Ｃｏｎｔｅｘｔ検索情報を一時的に削除（待避）させる様子を説明するための図（削除後）。
【図５】ＳＧＳＮ部内のＣ−ｐｌａｎｅ部、およびＵ−ｐｌａｎｅ部、ＧＧＳＮ部内のＣ−ｐｌａｎｅ部およびＵ−ｐｌａｎｅ部を詳細に示した図。
【図６】ＧｉインタフェースのＰｒｅｓｅｒｖａｔｉｏｎ状態からのＲｅｓｕｍｅ方法について説明するための図（ＧＧＳＮ部のユーザデータの受信を契機とする場合）。
【図７】ＧｉインタフェースのＰｒｅｓｅｒｖａｔｉｏｎ状態からのＲｅｓｕｍｅ方法について説明するための図（ＳＧＳＮ部のＩｕインタフェースのＲｅｓｕｍｅと連動してＧｉインタフェースのＲｅｓｕｍｅを実施する場合）。
【図８】本発明の他の実施例としてのＵ−ｐｌａｎｅ信号方式を説明するための図。
【図９】他の実施例におけるＧｉインタフェースのＰｒｅｓｅｒｖａｔｉｏｎ状態からのＲｅｓｕｍｅ方法について説明するための図（ＧＧＳＮ部のユーザデータの受信を契機とする場合）。
【図１０】他の実施例におけるＧｉインタフェースのＰｒｅｓｅｒｖａｔｉｏｎ状態からのＲｅｓｕｍｅ方法について説明するための図（ＳＧＳＮ部のＩｕインタフェースのＲｅｓｕｍｅと連動してＧｉインタフェースのＲｅｓｕｍｅを実施する場合）。
【図１１】ＧＰＲＳシステムの原理的なブロック図。
【符号の説明】
【００７１】
１、９０  ＳＧＳＮ部
２、２０  ＧＧＳＮ部
１０  Ｉｕインタフェース部（通信中）
３０、４０２  ＰＤＰ  Ｃｏｎｔｅｘｔ検索メモリ部
４０  Ｉｕインタフェース部（Ｐｒｅｓｅｒｖａｔｉｏｎ状態）
５０、７０、１００、３００  Ｃ−ｐｌａｎｅ部
６０、８０、２００、４００  Ｕ−ｐｌａｎｅ部
１０１  Ｉｕインタフェース部
１０２  状態管理部
１０３、２０１、３０１、４０１  リソース管理部
２０２  ＰＤＰ  Ｃｏｎｔｅｘｔ管理部
４０３  ユーザデータ
１０００  メモリ領域
【図１】
2006262114.tif 000003
【図２】
2006262114.tif 000004
【図３】
2006262114.tif 000005
【図４】
2006262114.tif 000006
【図５】
2006262114.tif 000007
【図６】
2006262114.tif 000008
【図７】
2006262114.tif 000009
【図８】
2006262114.tif 000010
【図９】
2006262114.tif 000011
【図１０】
2006262114.tif 000012
【図１１】
2006262114.tif 000013